(57)【要約】【課題】無限遠合焦時、至近合焦時ともに画質が良好で、かつ、コンパクト化が容易な撮像光学系を提供すること。【解決手段】物体側から順に、正の屈折力を有する第１群と、正の屈折力を有する第２群から成る、撮像光学系であって、前記第１群は、１枚の単レンズＧ１より構成され、第２群は、開口絞りを含み、開口絞りの物体側および像側に、それぞれ少なくとも１枚以上のレンズを有し、物体距離無限から物体距離至近への合焦動作の際に、前記第２群は、前記第１群と前記第２群の空気間隔が小さくなるように、物体側に移動することを特徴とする。【選択図】図１
2017219649.tif 000002
【特許請求の範囲】
【請求項１】
物体側から順に、正の屈折力を有する第１群と、正の屈折力を有する第２群から成る、撮像光学系であって、
前記第１群は、１枚の単レンズＧ１より構成され、
第２群は、開口絞りを含み、開口絞りの物体側および像側に、それぞれ少なくとも１枚以上のレンズを有し、
物体距離無限から物体距離至近への合焦動作の際に、前記第２群は、前記第１群と前記第２群の空気間隔が小さくなるように物体側に移動することを特徴とする撮像光学系。
【請求項２】
前記撮像光学系の焦点距離ｆと、前記撮像光学系のバックフォーカスＢＦとは、
１．０＜ＢＦ／ｆ＿ｔｏｔａｌ＜２．５
を満たすことを特徴とする請求項１に記載の撮像光学系。
【請求項３】
前記撮像光学系の焦点距離ｆと、前記Ｇ１の焦点距離ｆ１とは、
０．８＜ｆ＿Ｇ１／ｆ＿ｔｏｔａｌ＜６．０
を満たすことを特徴とする請求項１又は請求項２に記載の撮像光学系。
【請求項４】
前記第２群は、物体側から順に、負の屈折力を有する第２ａ群、開口絞り、正の屈折力を有する第２ｂ群から成ることを特徴とする請求項１乃至請求項３の何れか一項に記載の撮像光学系。
【請求項５】
前記Ｇ１は、物体側に凸面を向けたメニスカスレンズであることを特徴とする請求項１乃至請求項４の何れか一項に記載の撮像光学系。
【請求項６】
前記Ｇ１の分散νｄ＿Ｇ１は、
νｄ＿Ｇ１＞３５
を満たすことを特徴とする請求項１乃至請求項５の何れか一項に記載の撮像光学系。
【請求項７】
物体距離無限から物体距離至近への合焦動作の際に、前記第１群は、前記第２群とは異なる移動量で、物体側に移動することを特徴とする請求項１乃至請求項６の何れか一項に記載の撮像光学系。
【請求項８】
請求項１乃至請求項７の何れか一項に記載の撮像光学系と、前記撮像光学系によって形成される像を受光する光電変換素子と、を備えることを特徴とする光学機器。
【発明の詳細な説明】
【技術分野】
【０００１】
本発明は、撮像光学系およびそれを有する光学機器に関し、たとえば、写真用カメラ、デジタルスチルカメラ、デジタルビデオカメラ等に好適なものである。
【背景技術】
【０００２】
近年、写真用カメラ、デジタルスチルカメラ、デジタルビデオカメラ等の撮像光学系において、無限遠合焦時だけでなく、至近合焦時でも優れた光学性能を有することが重要視されている。その一方で、光学系のコンパクト化も同時に要求されている。たとえば、光学系自体が巨大であると、光学系内の最も物体側のレンズの物体側の面の位置と被写体までの距離が小さくなることで、被写体が光学系（カメラを含む）もしくは撮影者の影になってしまうことがあり、好ましくない。
【０００３】
従って、これらの２つの点を両立すること、即ち、コンパクトでありながらも、至近合焦時も優れた光学性能を有する撮像光学系が求められている。
【０００４】
一般的なフォーカシングの方式として、撮像光学系内の全てのレンズを同一の移動量で物体側に繰り出す、いわゆる全体繰り出し方式が挙げられる。しかし、全体繰り出し方式のフォーカシングにおいては、至近距離の物体へのフォーカシングの際に像面が急激にオーバー側に変動し、光学性能が劣化してしまう。
【０００５】
そこで、撮像光学系内の一部のレンズ群のみをフォーカシングの際に移動する方式（特許文献１）や、撮像光学系内の複数のレンズ群が異なる移動量で移動する、いわゆるフローティング・フォーカシング方式（特許文献２）がある。
【先行技術文献】
【特許文献】
【０００６】
【特許文献１】特開２０１１−１０７４５０号公報
【特許文献２】特許第４８２４９８１号公報
【発明の概要】
【発明が解決しようとする課題】
【０００７】
しかしながら、特許文献１や特許文献２の方式においては、偏芯時の光学性能の劣化が大きく、実際の製造時や使用時に光学性能が低下してしまうという課題や、撮像光学系が大型になってしまうという課題があった。
【０００８】
そこで、本発明は、無限遠合焦時、至近合焦時ともに画質が良好で、かつ、コンパクト化が容易な撮像光学系を提供することを目的とする。
【課題を解決するための手段】
【０００９】
上記の目的を達成するために、本発明に係る撮像光学系は、
物体側から順に、正の屈折力を有する第１群と、正の屈折力を有する第２群から成る、撮像光学系であって、
前記第１群は、１枚の単レンズＧ１より構成され、
第２群は、開口絞りを含み、開口絞りの物体側および像側に、それぞれ少なくとも１枚以上のレンズを有し、
物体距離無限から物体距離至近への合焦動作の際に、前記第２群は、前記第１群と前記第２群の空気間隔が小さくなるように、物体側に移動することを特徴とする。
【発明の効果】
【００１０】
本発明によれば、無限遠合焦時、至近合焦時ともに画質が良好で、かつ、コンパクト化が容易な撮像光学系を提供することができる。
【図面の簡単な説明】
【００１１】
【図１】実施例１の光学系の断面図である。
【図２】実施例１の光学系の縦収差図である。
【図３】実施例１の光学系の横収差図である。
【図４】実施例２の光学系の断面図である。
【図５】実施例２の光学系の縦収差図である。
【図６】実施例２の光学系の横収差図である。
【図７】本発明の光学機器（撮像装置）の要部概略図である。
【発明を実施するための形態】
【００１２】
以下、本発明の撮像光学系及びそれを有する光学機器における、最良の形態を述べる。
【００１３】
本発明の撮像光学系は、バックフォーカス（最終レンズ面の像側の面と、像面との空気間隔）が焦点距離より長く、開口絞りより物体側に負の屈折力、像側に正の屈折力を有するレンズを配置した、いわゆるレトロフォーカスタイプの光学系である。
【００１４】
本発明の撮像光学系は、物体側から順に、正の屈折力を有する第１群、正の屈折力を有する第２群で構成されている。まず、第１群が正の屈折力を有することが好ましい理由を述べる。レトロフォーカス型のレンズにおいては、負の歪曲（いわゆる、樽型の歪曲）が発生しやすい。これを補正するためには、開口絞りより物体側で、かつ、軸外光線の光線高が高い位置において正の屈折力を与えることが好ましくい。従って、第１群が正の屈折力を有することで負の歪曲を補正することができ、撮像光学系は良好な光学性能を備えることができる。
【００１５】
次に、第１群は単レンズ１枚で構成することが好ましい理由を述べる。
【００１６】
本発明の撮影光学系においては、第１群を単レンズ１枚とすることで、コンパクト化が容易となっている。第１群に２枚以上のレンズを含んでしまうと、リア・フォーカシングもしくはフローティング・フォーカシングによって至近性能の維持は可能ではあるが、コンパクト化が困難になる。
【００１７】
特に、仮に第１群を２枚のレンズで構成しようとすると、至近性能確保のためには、第１群通過後の光線を略アフォーカルにすると好ましいので、特許文献１のように、物体側から負レンズ、正レンズの順に配置することになる。
【００１８】
しかしながら、この構成では、第１レンズである負レンズにて光線が跳ね上げられるため、正レンズである第２レンズの径を大きくせざるを得ない。したがって、撮像光学系が、光軸方向にも径方向にも大型化してしまい、コンパクト化が困難となる。従って、第１群を単レンズ１枚で構成することで、撮像光学系のコンパクト化が容易となる。
【００１９】
本発明の撮像光学系においては、無限遠合焦時から至近合焦時へのフォーカシングの際には、正の第１群と、正の第２群の空気間隔が小さくなるように、第２群は物体側に繰り出す。無限遠から至近へのフォーカシングの際に第１群と第２群の空気間隔を小さくすることで、至近合焦時で軸外光線がＧ１を通過する際の光線の高さを、無限遠合焦時よりも小さくすることができる。その結果、至近合焦時に、像面をアンダー側へ戻す作用が発生するため、オーバー側への像面湾曲を抑制することができる。
【００２０】
従って、無限遠合焦時から至近合焦時へのフォーカシングの際に、正の第１群と、正の第２群の空気間隔が小さくなるように、第２群を物体側に繰り出すことで、無限遠合焦時だけでなく、至近合焦時にも良好な光学性能を備えることができる。
【００２１】
本発明の撮影光学系においては、１枚の正レンズのみである第１群と、第１群より像側にある全てのレンズを含む、第２群とで構成される。第２群は開口絞りを含んでおり、開口絞りの物体側および像側に、それぞれ１枚以上のレンズを有している。このような群構成とすることで、撮像光学系内の一部のレンズもしくはレンズ群が、光軸と略垂直の方向に微小移動（偏芯）した際の光学性能の劣化を低減することができる。
【００２２】
例えば、仮に特許文献２のように、開口絞りより物体側を前群、像側を後群とし、その前群と後群とをフォーカシング時に別体移動させることは、偏芯時の性能劣化敏感度上好ましくない。具体的に説明すれば、前群もしくは後群が偏芯した際に、大きくコマ収差（偏芯コマ収差）が発生してしまう。特にレトロフォーカス型のレンズにおいては、開口絞りより物体側が負の屈折力、像側が正の屈折力を有することが多く、屈折力が非対称であるがゆえにこの傾向は顕著となり、偏芯によって前群と後群の相対位置関係が崩れると性能低下につながりやすい。
【００２３】
別体移動するレンズ群は、レンズ構造上、一体にすることができないため、製造時およびレンズ使用時（撮影時）に、ガタ等による偏芯が生じる。偏芯時の偏芯コマ収差敏感度が大きいことは、製造時および使用時に偏芯コマ収差が大きく発生し、光学性能の劣化が激しいことを意味している。仮に、こうしたガタ等による偏芯の量を小さくするためには、レンズを保持する機構もしくは制御する機構の大型化が必要となり、結果としてコンパクト化が困難になる。
【００２４】
本発明の撮影光学系のように、第１群を単レンズ１枚とし、それ以降のレンズ全体を開口絞りを含む形で第２群とすると、偏芯コマ収差敏感度を小さくすることができる。これは即ち、レンズの製造時および使用時に第１群と第２群の間に偏芯が発生しても、偏芯コマ収差による光学性能の劣化を低減できることを意味している。従って、本発明の撮影光学系は、無限合焦時、至近合焦時ともに画質を向上させることができる。以上のように、本発明によれば、無限合焦時、至近合焦時ともに画質が良好で、かつ、コンパクト化が容易な撮像光学系を得ることができる。
【００２５】
次に、本発明を実施するにあたり、より好ましい条件について説明する。
【００２６】
本発明の撮像光学系において、撮影光学系の焦点距離ｆと、バックフォーカスＢＦとは、以下の条件式（１）を満たすことが好ましい。
【００２７】
１．０＜ＢＦ／ｆ＿ｔｏｔａｌ＜２．５    ・・・（１）
条件式（１）は撮像光学系のバックフォーカスに関する。条件式（１）の上限を超えると、撮像光学系は非常に強いレトロフォーカス型のパワー配置にする必要があり、開口絞りより物体側の負の屈折力を更に強くするか、もしくは、開口絞りより像側の正の屈折力を更に強くする必要がある。
【００２８】
こうしたパワー配置を実現するためには、各レンズの屈折力の絶対値を大きくする必要があり、撮像光学系のレンズ総厚（最も物体側のレンズの物体側の面から、最も像側の面の像側の面までの距離）を維持したままでは、球面収差や像面湾曲をはじめとする諸収差を補正することが困難となる。諸収差を補正して高い光学性能を得るためには、レンズ総厚を大きくする必要があり、撮像光学系のコンパクト化が困難になる。また、条件式（１）の下限は、本発明における、十分なバックフォーカスを確保した撮像光学系を得るために必要な条件である。
【００２９】
従って、条件式（１）を満たすことで、無限遠合焦時、至近合焦時にも良好な光学性能を備え、かつ、コンパクト化が容易な撮像光学系を得ることができる。
【００３０】
本発明の撮像光学系において、第１レンズＧ１の焦点距離ｆ＿Ｇ１と、光学系全体での焦点距離ｆ＿ｔｏｔａｌとは、以下の条件式（２）を満たすことが好ましい。
０．８＜ｆ＿Ｇ１／ｆ＿ｔｏｔａｌ＜６．０    ・・・（２）
条件式（２）は第１レンズＧ１の屈折力に関する。条件式（２）の上限を超えると、Ｇ１の屈折力が弱くなりすぎ、フォーカシング時に第１群と第２群の空気間隔を変動させることによる像面補正の作用が小さくなり、至近合焦時の光学性能の維持が困難になる。
【００３１】
一方で条件式（２）の下限を超えると、Ｇ１の正の屈折力が強くなりすぎ、第２群内の開口絞りより物体側において、非常に強い負の屈折力が必要になる。結果として、球面収差やコマ収差をはじめとする諸収差を補正することが困難となる。諸収差を補正して高い光学性能を得るためには、レンズ総厚を大きくする必要があり、撮像光学系のコンパクト化が困難になる。従って、条件式（２）を満たすことで、無限遠合焦時、至近合焦時にも良好な光学性能を備え、かつ、コンパクト化が容易な撮像光学系を得ることができる。
【００３２】
本発明の撮像光学系においては、第２群は、物体側から順に、負の屈折力を有する第２ａ群、開口絞り、正の屈折力を有する第２ｂ群から成る。第２ａ群および第２ｂ群は、少なくとも１枚以上のレンズを有する。
【００３３】
本発明の撮像光学系は、焦点距離がレンズ全長よりも短い光学系であり、開口絞りより物体側に負の屈折力を有するレンズ群、像側に正の屈折力を有するレンズ群を配置することで、広画角でありながらも十分なバックフォーカスを確保することができる。なお、本明細書における開口絞りとは、撮像光学系内を通過する光の量を調整するために撮像光学系内に配置された機構である。本実施例に記載の開口絞りは、開口径（光束が通過できる箇所の径）が可変であり、開口径を最小（最小絞り）にした状態でも全像高の光束が像面に届くよう、全像高の光束が開口絞りの中心を通過していることを特徴とする。
【００３４】
本発明の撮像光学系においては、第１群の第１レンズＧ１は、物体側に凸面を向けたメニスカスレンズである。仮に、Ｇ１が物体側に凹面を向けたメニスカス形状もしくは両凸形状であると、歪曲を補正することが困難になり、加えて、Ｇ１の径が大きくなるために光学系のコンパクト化も困難になる。従って、Ｇ１が物体側に凸面を向けたメニスカスレンズにすることで、無限遠合焦時、至近合焦時にも良好な光学性能を備え、かつ、コンパクト化が容易な撮像光学系を得ることができる。
【００３５】
本発明の撮像光学系においては、Ｇ１の材料の分散をνｄ＿Ｇ３１としたとき、以下の条件式（３）を満たすことが好ましい。
【００３６】
νｄ＿Ｇ１＞３５    ・・・（３）
なお、アッベ数νｄＦは、それぞれ以下の式で定義される。
【００３７】
νｄ＝（Ｎｄ−１）／（ＮＦ−ＮＣ）
Ｎｄ：ｄ線（波長５８７．６ｎｍ）に対する屈折率
ＮＦ：Ｆ線（波長４８６．１ｎｍ）に対する屈折率
ＮＣ：Ｃ線（波長６５６．３ｎｍ）に対する屈折率
条件式（３）は、Ｇ１の材料について規定する式である。条件式（３）の下限を超えると、無限遠から至近への合焦時の倍率色収差の変動が大きくなり、結果として、無限合焦時もしくは至近合焦時において倍率色収差を良好に補正することが困難になる。従って、条件式（３）を満たすことで、無限遠合焦時、至近合焦時にも良好な光学性能を備えた撮像光学系を得ることができる。
【００３８】
本発明の撮像光学系においては、第２群だけでなく、第１群もフォーカシング時に移動しても良い。
【００３９】
無限遠から至近へのフォーカシングに際し、第１群と第２群とが異なる移動量で、第１群と第２群との空気間隔が小さくなるように共に物体側に移動することで、フォーカシング時の像面湾曲変動を更に低減することができる。結果として、無限遠合焦時、至近合焦時にも良好な光学性能を備えた撮像光学系を得ることができる。更に好ましくは、条件式（１）〜（３）は、以下の範囲とするのが良い。
【００４０】
１．２＜ＢＦ／ｆ＿ｔｏｔａｌ＜２．０    ・・・（１ａ）
１．５＜ｆ＿Ｇ１／ｆ＿ｔｏｔａｌ＜５．０    ・・・（２ａ）
νｄ＿Ｇ１＞４０    ・・・（３ａ）
次に、各実施例の光学系の特徴について説明する。
［実施例１］
図１の実施例１の光学系について説明する。
【００４１】
実施例１の光学系は、正の屈折力を有する第１群Ｂ１と、正の屈折力を有する第２群Ｂ２とで構成されている。図１のＩＰは像面を示す。
【００４２】
第１群Ｂ１は、正の屈折力を有するＧ１のみで構成されている。第２群Ｂ２は、物体側から順に、負の屈折力を有する第２ａ群、光線カットＰ、開口絞りＳＰ、正の屈折力を有する第２ｂ群で構成されている。第２ａ群は物体側から順に、正の屈折力を有するＧ２１、負の屈折力を有するＧ２２で構成されており、第２ｂ群は物体側から順に、正の屈折力を有するＧ２３、負の屈折力を有するＧ２４、正の屈折力を有するＧ２５、正の屈折力を有するＧ２６で構成されている。
【００４３】
実施例１の光学系は、レトロフォーカス型の屈折力配置であり、広画角でありながら、バックフォーカスを確保している。第１群を、正の屈折力を有する単レンズＧ１のみで構成することで、コンパクトな撮像光学系を実現しつつ、かつ、歪曲収差を良好に補正している。
【００４４】
物体距離が無限遠から至近へのフォーカシングは、第１群と第２群が異なる移動量をもって、共に物体側に移動する。無限遠合焦時から至近合焦時にかけて、第１群と第２群との空気間隔を小さくすることで、フォーカシング時の像面湾曲変動を低減している。加えて、第１群を単レンズとし、第１群より像側のレンズ全てを第２群とする群構成をとることによって、偏芯時に生じる偏芯コマ収差を大幅に低減し、光学性能の劣化を抑えている。
【００４５】
本実施例における撮像光学系の無限遠合焦状態および至近合焦状態における、縦収差図および横収差図を、それぞれ図２、図３に示す。縦収差図中の球面収差、非点収差、色収差図、および、横収差図の単位はミリメートルである。なお、本実施例における、至近合焦時の横倍率は−０．２６である。このように、本実施例における光学系は、コンパクトでありながら、無限合焦時、至近合焦時ともに諸収差が良好に補正されており、優れた光学性能を有している。
【００４６】
［実施例２］
図４の実施例２の光学系について説明する。
【００４７】
実施例２の光学系は、正の屈折力を有する第１群Ｂ１と、正の屈折力を有する第２群Ｂ２とで構成されている。図４のＩＰは像面を示す。第１群Ｂ１は、正の屈折力を有するＧ１のみで構成されている。第２群Ｂ２は、物体側から順に、負の屈折力を有する第２ａ群、開口絞りＳＰ、正の屈折力を有する第２ｂ群で構成されている。第２ａ群は物体側から順に、負の屈折力を有するＧ２１、正の屈折力を有するＧ２２、負の屈折力を有するＧ２３で構成されており、第２ｂ群は物体側から順に、負の屈折力を有するＧ２４、正の屈折力を有するＧ２５、正の屈折力を有するＧ２６で構成されている。
【００４８】
実施例２の光学系は、レトロフォーカス型の屈折力配置であり、広画角でありながら、バックフォーカスを確保している。第１群を、正の屈折力を有する単レンズＧ１のみで構成することで、コンパクトな撮像光学系を実現しつつ、かつ、歪曲収差を良好に補正している。物体距離が無限遠から至近へのフォーカシングの際は、第１群は固定され、第２群が物体側に移動する。無限遠合焦時から至近合焦時にかけて、第１群と第２群との空気間隔を小さくすることで、フォーカシング時の像面湾曲変動を低減している。
【００４９】
加えて、第１群を単レンズとし、第１群より像側のレンズ全てを第２群とする群構成をとることによって、偏芯時に生じる偏芯コマ収差を大幅に低減し、光学性能の劣化を抑えている。
【００５０】
本実施例における撮像光学系の無限遠合焦状態および至近合焦状態における、縦収差図および横収差図を、それぞれ図５、図６に示す。縦収差図中の球面収差、非点収差、色収差図、および、横収差図の単位はミリメートルである。なお、本実施例における、至近合焦時の横倍率は−０．１７である。このように、本実施例における光学系は、コンパクトでありながら、無限合焦時、至近合焦時ともに諸収差が良好に補正されており、優れた光学性能を有している。
【００５１】
図７は一眼レフカメラの要部概略図である。
【００５２】
図７において、１０は実施例１から２までの撮像光学系１を有する光学系である。撮像光学系１は保持部材である鏡筒２に保持されている。２０はカメラ本体である。カメラ本体２０はクイックリターンミラー３、焦点板４、ペンタダハプリズム５、接眼レンズ６等によって構成されている。クイックリターンミラー３は、光学系１０からの光束を上方に反射する。焦点板４は光学系１０の像形成位置に配置されている。ペンタダハプリズム５は焦点板４に形成された逆像を正立像に変換する。観察者は、その正立像を、接眼レンズ６を介して観察する。
【００５３】
７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に光学系１０によって像側形成される。
【００５４】
このように本発明の撮像光学系を一眼レフカメラ交換レンズ等の撮像装置に適用することにより、高い光学性能を有する光学機器を実現している。尚、本発明の撮像光学系は、デジタルカメラ・ビデオカメラ・銀塩フィルム用カメラ等の他に望遠鏡、双眼鏡、複写機、プロジェクター等の光学機器にも適用できる。また、クイックリターンミラーのないミラーレスの一眼レフカメラ（ミラーレスカメラ）にも適用することができる。従って以上のように各実施例によれば、至近合焦時の画質が良好で、かつ、コンパクト化が容易な撮像光学系およびそれを有する光学機器を得ることができる。
【００５５】
以上、本発明の好ましい実施形態について説明したが、本発明はこれらの実施形態に限定されず、その要旨の範囲内で種々の変形及び変更が可能である。
【００５６】
以下に、実施例１〜２に各々対応する数値実施例１〜２に示す。
【００５７】
各数値実施例において、ｉは物体側からの面の順番を示し、ｒｉは第ｉ番目（第ｉ面）の曲率半径、ｄｉは第ｉ面と第ｉ＋１面との間の間隔、ｎｄｉ、νｄｉはそれぞれｄ線を基準とした屈折率、アッベ数を示す。ｒｉおよびｄｉの単位はいずれもミリである。ＢＦはバックフォーカスである。また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ、Ｆを各次数の非球面係数とするとき、
【００５８】
【数１】
2017219649.tif 000003
【００５９】
で表す。なお、各非球面係数における「Ｅ±ＸＸ」は「×１０±ＸＸ」を意味している。また、前述の各条件式に関係した数値を表１に示す。更に、表２に前述の各条件式に相当する数値を示す。
[数値実施例１]
面データ
面番号       r        d      nd         vd       有効径
1         32.619    2.72   1.77250    49.6       22.29
2         89.073  (可変)                         20.98
3         22.642    1.83   1.90366    31.3       15.34
4         31.152    1.00   1.48749    70.2       13.82
5          6.672    4.10                         10.11
6          ∞       3.10                          8.08
7(絞り)    ∞       1.73                          8.78
8        -19.803    4.56   1.51633    64.1        9.10
9         -8.500    0.80   1.80610    33.3       10.23
10        -39.452    0.15                         11.33
11         99.055    5.19   1.59522    67.7       12.71
12        -12.551    0.15                         14.87
13*       -37.403    3.10   1.58313    59.4       15.66
14        -16.193  (可変)                         16.77
像面        ∞   
非球面データ
第13面
K = 0.00000e+000, A4=-5.80338e-005, A6=-1.68288e-008, A8=-5.51921e-009,
A10= 6.95267e-011, A12=-4.32616e-013
焦点距離      24.72
Fナンバー      2.86
画角          28.93
像高          13.66
レンズ全長    66.45
BF            35.52
レンズ群データ
群  始面    焦点距離  レンズ構成長  前側主点位置  後側主点位置
1    1      65.25         2.72        -0.87         -2.37
2    3      22.62        25.71        23.28         21.47
単レンズデータ
レンズ  始面  焦点距離
1       1     65.25
2       3     83.21
3       4    -17.65
4       8     25.36
5       9    -13.60
6      11     19.05
7      13     46.47
フォーカシングによる可変部の空気間隔に関するデータ
横倍率     d2      d13
0.00    2.50    35.52
-0.26    0.20    42.00
[数値実施例２] 
面データ
面番号       r        d      nd         vd       有効径
1         63.463    1.90   1.80400    46.6       21.21
2        296.862  (可変)                         20.36
3         63.267    1.00   1.48749    70.2       13.49
4          9.161    3.50                         11.12
5         40.566    2.07   1.91082    35.3        9.79
6        -21.127    0.80   1.72047    34.7        9.55
7         72.930    3.56                          9.60
8(絞り)    ∞       5.98                         10.12
9        -16.555    1.20   1.69895    30.1       10.89
10         74.544    3.63   1.59522    67.7       12.73
11        -15.079    0.15                         14.25
12*      -259.052    3.92   1.58313    59.4       15.81
13        -16.187  (可変)                         16.87
像面        ∞   
非球面データ
第12面
K = 0.00000e+000, A4=-2.63551e-005, A6= 7.06312e-008, A8= 8.25929e-010,
A10=-3.29072e-011, A12= 2.45758e-013
焦点距離      26.31
Fナンバー      2.86
画角          27.44
像高          13.66
レンズ全長    67.80
BF            35.42
レンズ群データ
群  始面    焦点距離  レンズ構成長  前側主点位置  後側主点位置
1    1     100.03         1.90        -0.29         -1.34
2    3      25.28        25.81        23.18         16.79
単レンズデータ
レンズ  始面  焦点距離
1       1    100.03
2       3    -22.11
3       5     15.50
4       6    -22.66
5       9    -19.28
6      10     21.39
7      12     29.43
フォーカシングによる可変部の空気間隔に関するデータ
横倍率     d2      d13
0.00    4.67    35.42
-0.17    0.20    39.89
【００６０】
【表１】
2017219649.tif 000004
【００６１】
【表２】
2017219649.tif 000005
【符号の説明】
【００６２】
Ｂ１  第１レンズ群、Ｂ２  第２レンズ群、ＳＰ  開口絞り、Ｐ  光線カット、
ＩＰ  像面、ｄ  ｄ線、ｇ  ｇ線、ΔＳ  サジタル像面、ΔＭ  メリディオナル像面
【図１】
2017219649.tif 000006
【図２】
2017219649.tif 000007
【図３】
2017219649.tif 000008
【図４】
2017219649.tif 000009
【図５】
2017219649.tif 000010
【図６】
2017219649.tif 000011
【図７】
2017219649.tif 000012